(57)【要約】  符号分割多重化の方法、さらには、その方法を使用する送信装置および受信装置を実現する。この方法は、符号行列を使用することによって複数の信号の符号分割多重化を実行し、符号行列は複数の符号語を含み、複数の符号語の個数は複数の信号の個数と同じであり、各符号語は複数のチップを含み、この方法は、複数の信号の各信号に、対応する符号語の各チップをそれぞれ乗算し、各符号語内の各チップと対応する信号との積の和を計算して複数の多重化信号を形成し、各符号語の対応するチップは、チップの複数の集合を構成し、チップの何れか１つの集合と、チップの他の集合のうちのチップの１つの集合との差または和において１つの項のみがゼロでない。本開示による符号分割多重化の方法、さらには送信装置および受信装置は、逆多重化が実行されるときのチャネルの選択性の影響を小さくすることができ、これによりチャネル送信品質が改善される。
2013526163.tif 000002
【特許請求の範囲】
【請求項１】
符号行列を使用することによって複数の信号の符号分割多重化を実行する符号分割多重化方法であって、前記符号行列は複数の符号語を含み、前記複数の符号語の個数は前記複数の信号の個数と同じであり、各符号語は複数のチップを含み、
前記複数の信号の各信号に、対応する符号語の各チップをそれぞれ乗算し、
各符号語内の前記各チップと前記対応する信号との積の和を計算して、複数の多重化信号を形成し、
前記各符号語の対応するチップは、チップの複数の集合を構成し、チップの何れか１つの集合と、チップの他の集合のうちのチップの１つの集合との差または和において１つの項のみがゼロでない、
符号分割多重化方法。
【請求項２】
前記チップの隣接する２つの集合の差または和において１つの項のみが非ゼロである、
請求項１に記載の符号分割多重化方法。
【請求項３】
前記チップのそれぞれの絶対値は同じであり、前記チップの符号は同じ符号であるか、または反対符号である、
請求項１に記載の符号分割多重化方法。
【請求項４】
前記符号行列は、Ｎ×Ｍの行列Ａであり、前記複数の信号は、Ｍ個の信号Ｌ１、Ｌ２、…、ＬＭであり、前記符号行列Ａは、Ｍ個の符号語［ａｉ，１］、［ａｉ，２］、…、［ａｉ，Ｍ］を含み、前記各符号語の対応するチップは、チップのＮ個の集合［ａ１，ｊ］、［ａ２，ｊ］、…、［ａＮ，ｊ］を構成し、式中、ｉ＝１〜Ｎであり、ｊ＝１〜Ｍであり、ＭおよびＮは２以上の正整数であり、Ｍ≦Ｎであり、前記複数の多重化信号は、Ｎ個の信号Ｓ１、Ｓ２、…、ＳＮであり、ただし、Ｓ１＝Ｌ１×ａ１，１＋Ｌ２×ａ１，２＋…＋ＬＭ×ａ１，Ｍであり、Ｓ２＝Ｌ１×ａ２，１＋Ｌ２×ａ２，２＋…＋ＬＭ×ａ２，Ｍであり、ＳＮ＝Ｌ１×ａＮ，１＋Ｌ２×ａＮ，２＋…＋ＬＭ×ａＮ，Ｍである、
請求項１に記載の符号分割多重方法。
【請求項５】
前記符号行列は、
【数１】
2013526163.tif 000016
であり、式中、ｂはゼロ以外の任意の数である、
請求項２に記載の符号分割多重方法。
【請求項６】
前記複数の信号は、ワイヤレス通信システムの異なるセルによって送信されるリソースブロック内の復調用参照信号である、
請求項１に記載の符号分割多重方法。
【請求項７】
同一セル内で同一プレコーディングを使用した、隣接するリソースブロック内の復調用参照信号を、前記複数の信号のうちの１つとみなすステップをさらに含む、
請求項６に記載の符号分割多重方法。
【請求項８】
異なるセルのそれぞれの復調用参照信号を複数の集合に分割し、全てのセルの復調用参照信号の異なる集合に、異なる符号行列をそれぞれ乗算して、多重化信号の複数の集合を形成するステップをさらに含む、
請求項６または７に記載の符号分割多重方法。
【請求項９】
１つのセルのリソースブロックの同じレイヤにおいて隣接する期間に配置された前記復調用参照信号の直交符号分割多重化を実行し、多重化された前記復調用参照信号を、前記複数の信号のうちの１つとみなすステップをさらに含む、
請求項６または７に記載の符号分割多重方法。
【請求項１０】
符号行列を使用することによって複数の信号の符号分割多重化を実行して得られる複数の多重化信号を受信し、
前記複数の多重化信号のうちの多重化信号の複数の対の差または和を計算して前記複数の信号の各信号を取得する、
逆多重化方法。
【請求項１１】
隣接する２つの多重化信号の差または和において１つの項のみが非ゼロである、
請求項１０に記載の逆多重化方法。
【請求項１２】
前記符号行列は複数の符号語を含み、前記複数の符号語の個数は前記複数の信号の個数と同じであり、各符号語は複数のチップを含み、前記複数の多重化信号は、前記複数の信号の各信号に、対応する符号語の各チップをそれぞれ乗算し、各符号語の前記各チップと前記対応する信号との積の和を計算することによって得られる、
請求項１０に記載の逆多重化方法。
【請求項１３】
前記各チップの前記絶対値は同じであり、前記チップの符号は同じ符号であるか、または反対符号である、
請求項１２に記載の逆多重化方法。
【請求項１４】
前記符号行列は、Ｎ×Ｍの行列Ａであり、前記複数の信号は、Ｍ個の信号Ｌ１、Ｌ２、…、ＬＭであり、前記符号行列Ａは、Ｍ個の符号語［ａｉ，１］、［ａｉ，２］、…、［ａｉ，Ｍ］を含み、前記各符号語の対応するチップは、チップのＮ個の集合［ａ１，ｊ］、［ａ２，ｊ］、…、［ａＮ，ｊ］を構成し、式中、ｉ＝１〜Ｎであり、ｊ＝１〜Ｍであり、ＭおよびＮは２以上の正整数であり、Ｍ≦Ｎであり、前記複数の多重化信号は、Ｎ個の信号Ｓ１、Ｓ２、…、ＳＮであり、ただし、Ｓ１＝Ｌ１×ａ１，１＋Ｌ２×ａ１，２＋…＋ＬＭ×ａ１，Ｍであり、Ｓ２＝Ｌ１×ａ２，１＋Ｌ２×ａ２，２＋…＋ＬＭ×ａ２，Ｍであり、ＳＮ＝Ｌ１×ａＮ，１＋Ｌ２×ａＮ，２＋…＋ＬＭ×ａＮ，Ｍである、
請求項１０に記載の逆多重化方法。
【請求項１５】
前記符号行列は、
【数２】
2013526163.tif 000017
であり、式中、ｂはゼロ以外の任意の数である、
請求項１３に記載の逆多重化方法。
【請求項１６】
前記複数の信号は、ワイヤレス通信システムの異なるセルによって送信されるリソースブロック内の復調用参照信号である、
請求項１０に記載の逆多重化方法。
【請求項１７】
多重化信号の複数の集合を受信するステップと、
前記多重化信号のそれぞれの集合内の多重化信号の異なる対の差または和をそれぞれ計算して、異なるセルの復調用参照信号をそれぞれ取得するステップと、をさらに含む、
請求項１６に記載の逆多重化方法。
【請求項１８】
リソースブロックの隣接する時間的位置に配置されている、多重化された復調用参照信号を受信したときに、異なる周波数に関して隣接する時間的位置で交互に検出して、対応する多重化された復調用参照信号を取得するステップをさらに含む、
請求項１６に記載の逆多重化方法。
【請求項１９】
複数の符号語を含む符号行列を使用することによって複数の信号の符号分割多重化を実行する送信装置であって、前記複数の符号語の個数は前記複数の信号の個数と同じであり、各符号語は複数のチップを含み、
前記複数の信号の各信号に、対応する符号語の各チップをそれぞれ乗算し、各符号語内の前記各チップと前記対応する信号との積の和を計算して、複数の多重化信号を形成する多重化部と、
前記複数の多重化信号を送信する送信部と、
を備え、
前記各符号語の対応するチップは、チップの複数の集合を構成し、チップの何れか１つの集合と、チップの他の集合のうちのチップの１つの集合との差または和において１つの項のみがゼロでない、
送信装置。
【請求項２０】
前記複数の信号は、ワイヤレス通信システムの異なるセルによって送信されるリソースブロック内の復調用参照信号である、
請求項１９に記載の送信装置。
【請求項２１】
前記多重化部は、異なるセルのそれぞれの前記復調用参照信号を複数の集合に分割し、全てのセルの復調用参照信号の異なる集合に、異なる符号行列をそれぞれ乗算して、多重化信号の複数の集合を形成する、
請求項２０に記載の送信装置。
【請求項２２】
前記多重化部は、１つのセルのリソースブロックの同じレイヤにおいて隣接する期間に配置された前記復調用参照信号の直交符号分割多重化を実行し、多重化された前記復調用参照信号を、前記複数の信号のうちの１つとみなす、
請求項２０に記載の送信装置。
【請求項２３】
符号行列を使用することによって複数の信号の符号分割多重化を実行して得られる複数の多重化信号を受信する受信部と、
前記複数の多重化信号のうちの多重化信号の複数の対の差または和を計算して前記複数の信号の各信号を取得する逆多重化部と、
を備える受信装置。
【請求項２４】
前記符号行列は複数の符号語を含み、前記複数の符号語の個数は前記複数の信号の個数と同じであり、各符号語は複数のチップを含み、前記複数の多重化信号は、前記複数の信号の各信号に、対応する符号語の各チップをそれぞれ乗算し、各符号語の前記各チップと前記対応する信号との積の和を計算することによって得られる、
請求項２３に記載の受信装置。
【請求項２５】
前記複数の信号は、ワイヤレス通信システムの異なるセルによって送信されるリソースブロック内の復調用参照信号である、
請求項２３に記載の受信装置。
【請求項２６】
前記受信部は、多重化信号の複数の集合を受信し、前記逆多重化部は、多重化信号のそれぞれの集合内の多重化信号の異なる対の差または和をそれぞれ計算して異なるセルの前記復調用参照信号をそれぞれ取得する、
請求項２５に記載の受信装置。
【請求項２７】
前記逆多重化部は、リソースブロックの隣接する時間的位置に配置されている、多重化された復調用参照信号を受信したときに、異なる周波数に関して隣接する時間的位置で交互に検出して、対応する多重化された復調用参照信号を取得する、
請求項２３に記載の受信装置。
【発明の詳細な説明】
【技術分野】
【０００１】
本開示は、通信分野における信号多重化の方法および基準信号の設計に関する。
【背景技術】
【０００２】
符号分割多重（ＣＤＭ）技術は、ワイヤレス通信の技術分野において広く使用されている。最も古典的なＣＤＭ技術は、異なる直交系列を使用することによって異なる信号を拡散し、それらの信号を重ね合わせ、重ね合わされた信号同士の間の干渉を異なる系列間の直交特性を利用して解消するものである。このような利点があるため、ＣＤＭ技術は、通信システム内の異なる信号を多重化するために広く使用されている。
【０００３】
図１（Ａ）から図１（Ｄ）は、系列長４のウォルシュ符号を使用するＣＤＭ多重化の原理を示す図である。図１（Ａ）に示されているように、ＣＤＭで使用される符号語は、互いに直交している、つまり、異なる符号語間の相関はゼロであるということである。図１（Ｂ）に示されているように、ＣＤＭ多重化では、異なる信号Ｓ１、Ｓ２、Ｓ３、Ｓ４は、それぞれ異なる符号語に対応し、それら異なる信号と、それぞれに対応する符号語との乗算が実行される。乗算結果から、拡散信号が得られる。異なる信号によって得られた拡散信号は、重ね合わされて、多重化信号Ｗ、Ｘ、Ｙ、Ｚを形成する。図１（Ｃ）に示されているように、多重化信号Ｗ、Ｘ、Ｙ、Ｚは、通信チャネルで送信される。ＣＤＭによる信号の拡散は、時間領域または周波数領域のいずれかにおいて実行されうる。図１（Ｄ）に示されているように、ＣＤＭ逆多重化では、元の信号Ｓ１、Ｓ２、Ｓ３、Ｓ４をそれぞれ復元するために、多重化信号と異なる符号語のそれぞれとの相関演算が実施される。
【０００４】
直交符号を使用するＣＤＭ多重化では、異なる直交符号語間の直交性は最も本質的な特性である。ワイヤレス通信において最も広く使用されている直交符号は、ウォルシュ符号であるが、その符号の長さは、２、４、８、１６、…（２の累乗）に限られる。他の長さの直交系列については、他の構成方法が使用される。例えば、長さ３の直交系列は、３＊３フーリエ変換行列によって得ることができる。
【０００５】
ＣＤＭ多重化では、多重化前の信号は、多重化の処理手順においてＣＤＭ符号語によって拡散される。通信システムにおけるそのような拡散は、時間領域または周波数領域のいずれかでなされうる。直交性は、拡散信号がフラット（不変）になるように重ね合わされるチャネルを必要とする。しかし、通信チャネルの時間および周波数の選択性により、そのようなフラットな特性は常に得られるわけではない。ＣＤＭ逆多重化において、拡散後にチャネル内に選択性が存在している場合、異なる符号語間の直交性は劣化する。選択性が強ければ強いほど、そのような劣化はより大きくなる。さらに、直交符号の特性により、ＣＤＭ逆多重化は、拡散後にすべての信号の相関をとらなければならないため、ＣＤＭ逆多重化の困難さが増す。
【発明の概要】
【発明が解決しようとする課題】
【０００６】
ＣＤＭ逆多重化においてすべての拡散信号の相関をとることを必要としないような符号多重化の方法を見つけることができれば、ＣＤＭ逆多重化における通信チャネルの時間領域および周波数領域に対する選択性の影響を低減することができる。本開示は、上記の態様を考慮してなされている。
【課題を解決するための手段】
【０００７】
本開示の一態様によれば、符号行列を使用することによって複数の信号の符号分割多重化を実行する符号分割多重化の方法が提供され、符号行列は複数の符号語を含み、複数の符号語の個数は複数の信号の個数と同じであり、各符号語は複数のチップを含み、この方法は複数の信号の各信号に、対応する符号語の各チップをそれぞれ乗算し、各符号語内の各チップと対応する信号との積の和を計算して、複数の多重化信号を形成し、各符号語の対応するチップは、チップの複数の集合を構成し、チップの何れか１つの集合と、チップの他の集合のうちのチップの１つの集合との差または和において１つの項のみがゼロでない。
【０００８】
本発明の別の態様によれば、逆多重化の方法が提供され、この方法は、符号行列を使用することによって複数の信号の符号分割多重化を実行して得られる複数の多重化信号を受信し、複数の多重化信号のうちの多重化信号の複数の対の差または和を計算して複数の信号のうちの各信号を取得する。
【０００９】
本開示のさらなる態様によれば、符号行列を使用することによって複数の信号の符号分割多重化を実行する送信装置が提供され、符号行列は複数の符号語を含み、複数の符号語の個数は複数の信号の個数と同じであり、各符号語は複数のチップを含み、送信装置は、複数の信号の各信号に、対応する符号語の各チップをそれぞれ乗算し、各符号語内の各チップと対応する信号との積の和を計算して、複数の多重化信号を形成する多重化部と、複数の多重化信号を送信する送信部とを備え、各符号語の対応するチップは、チップの複数の集合を構成し、チップの何れか１つの集合と、チップの他の集合のうちのチップの１つの集合との差または和において１つの項のみがゼロでない。
【００１０】
本開示のさらなる態様によれば、受信装置が実現され、この受信装置は、符号行列を使用することによって複数の信号の符号分割多重化を実行して得られる複数の多重化信号を受信する受信部と、複数の多重化信号のうちの多重化信号の複数の対の差または和を計算して複数の信号の各信号を取得する逆多重化部とを備える。
【発明の効果】
【００１１】
差分符号化に基づく符号分割多重化の方法ならびに本開示による対応する送信装置および受信装置は、逆多重化が実行されるときのチャネルの選択性の影響を小さくすることができ、これによりチャネルの通信品質が改善される。
【００１２】
本開示のこれらおよび／または他の態様ならびに利点は、添付図面と組み合わせて本開示の実施形態の詳細な説明を読むと、より明確になり、容易に理解されるであろう。
【図面の簡単な説明】
【００１３】
【図１（Ａ）】系列長４のウォルシュ符号を使用するＣＤＭ多重化の原理を示す図
【図１（Ｂ）】系列長４のウォルシュ符号を使用するＣＤＭ多重化の原理を示す図
【図１（Ｃ）】系列長４のウォルシュ符号を使用するＣＤＭ多重化の原理を示す図
【図１（Ｄ）】系列長４のウォルシュ符号を使用するＣＤＭ多重化の原理を示す図
【図２】本開示による通信システムの送信装置を示すブロック図
【図３】本開示による通信システムの受信装置を示すブロック図
【図４（Ａ）】本開示の一実施形態による長さ３の差分符号行列を使用することによって多重化および逆多重化を行う方法を示す図
【図４（Ｂ）】本開示の一実施形態による長さ３の差分符号行列を使用することによって多重化および逆多重化を行う方法を示す図
【図４（Ｃ）】本開示の一実施形態による長さ３の差分符号行列を使用することによって多重化および逆多重化を行う方法を示す図
【図４（Ｄ）】本開示の一実施形態による長さ３の差分符号行列を使用することによって多重化および逆多重化を行う方法を示す図
【図５（Ａ）】本開示の一実施形態による長さ４の差分符号行列を使用することによって多重化および逆多重化を行う方法を示す図
【図５（Ｂ）】本開示の一実施形態による長さ４の差分符号行列を使用することによって多重化および逆多重化を行う方法を示す図
【図５（Ｃ）】本開示の一実施形態による長さ４の差分符号行列を使用することによって多重化および逆多重化を行う方法を示す図
【図５（Ｄ）】本開示の一実施形態による長さ４の差分符号行列を使用することによって多重化および逆多重化を行う方法を示す図
【図６】基地局が複数のデータストリームを携帯端末に送信するワイヤレス通信システムを示す概略図
【図７】携帯端末から基地局に送信されるデータストリームを構成するリソースブロックの一例を示す図
【図８（Ａ）】本開示の一実施形態による差分符号化モード（differential coding mode）に基づく隣接セルの復調用参照信号の符号分割多重化および逆多重化を示す図
【図８（Ｂ）】本開示の一実施形態による差分符号化モードに基づく隣接セルの復調用参照信号の符号分割多重化および逆多重化を示す図
【図８（Ｃ）】本開示の一実施形態による差分符号化モードに基づく隣接セルの復調用参照信号の符号分割多重化および逆多重化を示す図
【図９】本開示の一実施形態による差分符号化モードに基づく隣接セルの復調用参照信号の符号分割多重化および逆多重化の別の例を示す図
【図１０（Ａ）】本開示の一実施形態による差分符号化モードに基づく隣接セルの復調用参照信号の符号分割多重化および逆多重化のさらなる例を示す図
【図１０（Ｂ）】本開示の一実施形態による差分符号化モードに基づく隣接セルの復調用参照信号の符号分割多重化および逆多重化のさらなる例を示す図
【図１０（Ｃ）】本開示の一実施形態による差分符号化モードに基づく隣接セルの復調用参照信号の符号分割多重化および逆多重化のさらなる例を示す図
【図１１（Ａ）】リソースブロックの複数のレイヤのうちの１つのレイヤ上で周波数に関して隣接する２つのリソースブロックを示す図
【図１１（Ｂ）】リソースブロックの複数のレイヤのうちの１つのレイヤ上で周波数に関して隣接する２つのリソースブロックを示す図
【図１２】本開示の一実施形態による差分符号化に基づく符号分割多重化の方法を示すフロー図
【図１３】本開示の一実施形態による差分符号化に基づく逆多重化の方法を示すフロー図
【発明を実施するための形態】
【００１４】
以下では、本開示のいくつかの特定の実施形態について、添付図面を参照しつつ詳細に説明する。いくつかの関係する従来技術の詳細な説明が本開示の要点を混乱させる可能性がある場合、その詳細な説明はここでは述べない。各実施形態において、同じ機能を実行する要素もしくは構成部を表すために同一の参照番号を使用する。
【００１５】
本開示では、差分符号化に基づくＣＤＭ多重化および逆多重化の方法、ワイヤレス通信システムにおいてそのような方法を適用する送信装置および受信装置を提案する。
【００１６】
（実施の形態１）
図２は、本開示の一実施形態によるワイヤレス通信システムの送信装置を示すブロック図である。
【００１７】
図２に示されているように、本開示による送信装置２００は、互いに接続された、多重化部２０２および送信部２０６を備える。
【００１８】
本開示による送信装置２００は、さまざまなデータを処理し、送信装置２００の各構成部のオペレーションを制御するために関係するプログラムを実行する中央演算処理装置（ＣＰＵ）２１０、様々なプロセスおよび制御を実行するためにＣＰＵ２１０によって必要とされる様々なプログラムを格納するＲＯＭ（Read Only Memory）２１３、プロセスおよび制御の処理手順においてＣＰＵ２１０によって一時的に生成される中間データを格納するＲＡＭ（Random Access Memory）２１５、外部装置と接続し、外部装置と送信装置２００との間で様々なデータを伝送する入出力（Ｉ／Ｏ）部２１６などをさらに備えることができる。上記多重化部２０２、送信部２０６、ＣＰＵ２１０、ＲＯＭ２１３、ＲＡＭ２１５、Ｉ／Ｏ部２１６などは、データ／コマンドバス２２０を介して接続され、互いの間で信号をやり取りすることができる。
【００１９】
上述した各構成部は、本開示の範囲を制限することはない。本開示の一実施形態によれば、多重化部２０２および送信部２０６のいずれかの機能も、上記のＣＰＵ２１０、ＲＯＭ２１３、ＲＡＭ２１５、Ｉ／Ｏ部２１６、および同様のものと組み合わせて機能するソフトウェアによって実現されうる。また、多重化部２０２および送信部２０６の機能は、１つの構成部にまとめることによって実現することもできる。
【００２０】
送信装置２００は、複数の符号語を含む符号行列を使用することによって複数の元の信号の符号分割多重化を実行し、複数の符号語の個数は複数の元の信号の個数と同じであり、符号語のそれぞれは複数のチップを含む。多重化部２０２は、複数の元の信号の各信号に、対応する符号語のチップをそれぞれ乗算し、各符号語の各チップと対応する元の信号との積を足し合わせて複数の多重化信号を形成する。送信部２０６は、送信装置２００を通じて複数の多重化信号を送信する。本開示の一実施形態によれば、各符号語の各チップは、チップの複数の集合を構成することができ、チップの何れか１つの集合と、チップの他の集合のうちのチップの少なくとも１つの集合との差または和において、１つの項のみが非ゼロである。
【００２１】
例えば、符号行列は、Ｎ×Ｍの行列Ａであり、上述のような複数の元の信号は、Ｍ個の信号Ｌ１、Ｌ２、…、ＬＭであり、符号行列Ａは、Ｍ個の符号語［ａｉ，１］、［ａｉ，２］、…、［ａｉ，Ｍ］を含み、各符号語の各チップは、チップのＮ個の集合［ａ１，ｊ］、［ａ２，ｊ］、…、［ａＮ，ｊ］を構成する。ここで、ｉ＝１〜Ｎ、ｊ＝１〜Ｍ、ＭおよびＮは２以上の正整数、Ｍ≦Ｎである。複数の多重化信号は、Ｎ個の信号Ｓ１、Ｓ２、…、ＳＮであり、ただし、
Ｓ１＝Ｌ１×ａ１，１＋Ｌ２×ａ１，２＋…＋ＬＭ×ａ１，Ｍ、
Ｓ２＝Ｌ１×ａ２，１＋Ｌ２×ａ２，２＋…＋ＬＭ×ａ２，Ｍ、…
ＳＮ＝Ｌ１×ａＮ，１＋Ｌ２×ａＮ，２＋…＋ＬＭ×ａＮ，Ｍ
である。
【００２２】
本開示の一実施形態によれば、上記の符号行列Ａは、以下のように構成することができる。
【数１】
2013526163.tif 000003
【００２３】
式（１）において、ｂは、ゼロ以外の任意の数、例えば、ゼロ以外の実数または複素数であってよい。便宜上、ｂ＝１とする。
【００２４】
この時点で、行列Ａは、対称行列、つまりＭ＝Ｎである。例えば、上記の式（１）により、長さ３の差分符号行列は、次の通りであることを知ることができる。
【数２】
2013526163.tif 000004
【００２５】
上記に加えて、より長い長さを有する差分符号行列の一例も、式（１）に従って得ることができる。
【００２６】
符号行列Ａの上記の構成方法は、本開示の範囲を制限することはなく、チップの何れか１つの集合と、チップの他の集合のうちのチップの少なくとも１つの集合との差または和において１つの項のみが非ゼロであるという条件が満たされている限り、符号行列Ａは、他の方法を使用することによっても構成されうる。
【００２７】
本開示による差分符号化に基づく送信装置は、逆多重化が実行されるときのチャネルの選択性の影響を小さくすることができ、これによりチャネルの通信品質が改善される。
【００２８】
（実施の形態２）
図３は、本開示の一実施形態によるワイヤレス通信システムの受信装置を示すブロック図である。
【００２９】
図３に示されているように、本開示による受信装置３００は、互いに接続された逆多重化部３０２および受信部３０６を備える。
【００３０】
本開示による受信装置３００は、様々なデータを処理し、受信装置３００の各構成部のオペレーションを制御するために関係するプログラムを実行する中央演算処理装置（ＣＰＵ）３１０、さまざまなプロセスおよび制御を実行するためにＣＰＵ  ３１０によって必要とされる様々なプログラムを格納するＲＯＭ（Read Only Memory）３１３、プロセスおよび制御の処理手順においてＣＰＵ３１０によって一時的に生成される中間データを格納するＲＡＭ（Random Access Memory）３１５、外部装置と接続し、外部装置と受信装置３００との間で様々なデータを伝送する入出力（Ｉ／Ｏ）部３１６などをさらに備えることができる。上記の逆多重化部３０２、受信部３０６、ＣＰＵ３１０、ＲＯＭ３１３、ＲＡＭ３１５、Ｉ／Ｏ部３１６などは、データ／コマンドバス３２０を介して接続され、互いの間で信号をやり取りすることができる。
【００３１】
上述した各構成部は、本開示の範囲を制限することはない。本開示の一実施形態によれば、逆多重化部３０２および受信部３０６のいずれかの機能も、上記のＣＰＵ  ３１０、ＲＯＭ３１３、ＲＡＭ３１５、Ｉ／Ｏ部３１６、および同様のものと組み合わせて機能するソフトウェアによって実現されうる。また、逆多重化部３０２および受信部３０６の機能は、１つの構成部にまとめることによって実現することもできる。
【００３２】
本開示の受信装置３００の受信部３０６は、符号行列を使用して複数の元の信号の符号分割多重化を実行することによって得られる複数の多重化信号を受信する。逆多重化部３０２は、受信された複数の多重化信号内の多重化信号のそれぞれの対の差または和を計算して複数の元の信号内の各信号を取得する。
【００３３】
上記の符号行列は、それぞれが複数のチップを備える多数の符号語を備え、符号語の個数は、複数の元の信号の個数と同じである。複数の多重化信号は、複数の元の信号の各信号に、対応する符号語の各チップをそれぞれ乗算し、各符号語の各チップと対応する信号との積の和を計算することによって形成される。例えば、符号行列は、Ｎ×Ｍの行列Ａであり、上述の複数の元の信号は、Ｍ個の信号Ｌ１、Ｌ２、…、ＬＭであり、符号行列Ａは、Ｍ個の符号語［ａｉ，１］、［ａｉ，２］、…、［ａｉ，Ｍ］を含み、各符号語の各チップは、チップのＮ個の集合［ａ１，ｊ］、［ａ２，ｊ］、…、［ａＮ，ｊ］を構成する。ここで、ｉ＝１〜Ｎ、ｊ＝１〜Ｍ、ＭおよびＮは２以上の正整数、Ｍ≦Ｎである。複数の多重化信号は、Ｎ個の信号Ｓ１、Ｓ２、…、ＳＮであり、ただし、
Ｓ１＝Ｌ１×ａ１，１＋Ｌ２×ａ１，２＋…＋ＬＭ×ａ１，Ｍ、
Ｓ２＝Ｌ１×ａ２，１＋Ｌ２×ａ２，２＋…＋ＬＭ×ａ２，Ｍ、…
ＳＮ＝Ｌ１×ａＮ，１＋Ｌ２×ａＮ，２＋…＋ＬＭ×ａＮ，Ｍ
である。
【００３４】
本開示の一実施形態によれば、上記の符号行列Ａは、式（１）に示されているように構成することができる。また、符号行列Ａの上記の構成方法は、本開示の範囲を制限することはなく、チップの何れか１つの集合と、チップの他の集合のうちのチップの少なくとも１つの集合との差または和において１つの項のみが非ゼロであるという条件が満たされている限り、符号行列Ａは、他の方法を使用することによっても構成されうる。
【００３５】
本開示による差分符号化に基づく受信装置は、逆多重化が実行されるときのチャネルの選択性の影響を小さくすることができ、これによりチャネルの通信品質が改善される。
【００３６】
（実施の形態３）
図４（Ａ）から図４（Ｄ）は、本開示の一実施形態による長さ３の差分符号行列を使用することによって符号分割多重化および逆多重化を行う方法を示す図である。
【００３７】
図４（Ａ）に示されているように、長さ３の差分符号行列は、上記の式（２）で示されているとおりである。差分符号行列は、符号語１［１，１，１］、符号語２［１，１，−１］、および、符号語３［１，−１，−１］の３つの符号語を含む。各符号語は複数のチップをさらに含み、符号語１はチップ１、１、１を含み、符号語２はチップ１、１、−１を含み、符号語３はチップ１、−１、−１を含む。本開示の一実施形態によれば、全ての符号語における第１のチップは、チップの第１の集合と称され、全ての符号語における第２のチップは、チップの第２の集合と称され、全ての符号語における第３のチップは、チップの第３の集合と称される。図４（Ａ）より、チップの隣接する２つの集合の差において１つの項のみが非ゼロであり、距離が最も遠いチップの２つの集合の和において１つの項のみが非ゼロであることが容易にわかる。
【００３８】
図４（Ｂ）に示されているように、差分符号行列を使用することによって本開示に係る送信装置２００により実行されるＣＤＭ多重化では、異なる元の信号Ｌ１、Ｌ２、Ｌ３はそれぞれ異なる符号語に対応する。多重化部２０２は、異なる信号に、対応する符号語をそれぞれ乗算する。具体的には、多重化部２０２は、それぞれの信号に、対応する符号語のそれぞれのチップを乗算する。例えば、多重化部２０２は、第１の信号Ｌ１に符号語１の各チップをそれぞれ乗算して［Ｌ１＊（１），Ｌ１＊（１），Ｌ１＊（１）］を取得し、第２の信号Ｌ２に符号語２の各チップをそれぞれ乗算して［Ｌ２＊（１），Ｌ２＊（１），Ｌ２＊（−１）］を取得し、第３の信号Ｌ３に符号語３の各チップをそれぞれ乗算して［Ｌ３＊（１），Ｌ３＊（−１），Ｌ３＊（−１）］を取得する。乗算結果から、拡散信号が得られる。次いで、多重化部２０２は、異なる信号によって生成された拡散信号を足し合わせて、多重化信号Ｓ１、Ｓ２、およびＳ３を形成する。具体的には、多重化部２０２は、それぞれの符号語内の各チップと対応する信号との積を足し合わせて複数の多重化信号を形成する。例えば、多重化部２０２は、各符号語におけるチップの第１の集合に属す各積項を足し合わせて多重化信号Ｓ１＝Ｌ１＊（１）＋Ｌ２＊（１）＋Ｌ３＊（１）を求め、各符号語におけるチップの第２の集合に属す各積項を足し合わせて多重化信号Ｓ２＝Ｌ１＊（１）＋Ｌ２＊（１）＋Ｌ３＊（−１）を求め、各符号語におけるチップの第３の集合に属す各積項を足し合わせて多重化信号Ｓ３＝Ｌ１＊（１）＋Ｌ２＊（−１）＋Ｌ３＊（−１）を求める。これにより、多重化信号Ｓ１、Ｓ２、およびＳ３が得られる。
【００３９】
図４（Ｃ）に示されているように、送信部２０６は、通信チャネル上で多重化信号Ｓ１、Ｓ２、およびＳ３を伝送する。ＣＤＭによる信号の拡散は、時間領域または周波数領域のいずれかにおいて実行されうる。
【００４０】
図４（Ｄ）に示されているように、本開示による受信装置３００のＣＤＭ逆多重化では、隣接する多重化信号Ｓ１とＳ２との間で減算を実行して元の信号Ｌ３のみを含むチップ項を求め、計算によって元の信号Ｌ３を求めることができる。同様に、隣接する多重化信号Ｓ２とＳ３との間で減算を実行して元の信号Ｌ２のみを含むチップ項を求め、計算によって元の信号Ｌ２を求めることができる。距離が最も遠い多重化信号Ｓ１とＳ３とを足し合わせて元の信号Ｌ１のみを含むチップ項を求め、計算によって元の信号Ｌ１を求めることができる。これにより、差分検出を通じて各元の信号Ｌ１、Ｌ２、およびＬ３を求めることができる。
【００４１】
本発明の方法は、差分検出に基づく。図４（Ｄ）に示されているように、３つの信号上の差分検出では、２つの信号で隣接する多重化信号のみを検出するだけでよく、例えば（Ｓ１−Ｓ２）および（Ｓ２−Ｓ３）である。このようにして、逆多重化を行うときの時間領域または周波数領域上のスパン距離が短く、したがって、時間領域または周波数領域に対するチャネルの変化の影響は小さい。
【００４２】
直交符号に基づく従来のＣＤＭの方法と比べて、本開示の送信装置２００および受信装置３００によって使用される差分符号に基づく方法は、少なくとも２つの差を有する。（１）本発明の方法の差分符号および直交符号は、２つの異なる種類の符号である。差分符号の異なる符号語の間の相関は、ゼロとはなりえない。つまり、符号語の間の直交特性は、直交符号の最も本質的な特性であるのに対して、差分符号の符号語の間に直交特性はない。（２）本発明の方法の逆多重化は、コヒーレント検出の代わりに差分検出に基づいていて、図１に示すようなコヒーレント検出法が本開示による図４に適用される場合には多重化の前の元の信号を正しく検出することはできない。
【００４３】
図４に示す長さ３の差分符号行列は、３より大きい任意の長さに容易に拡散することができ、例えば、式（１）から、長さ４の差分符号行列は、以下のとおりであることを知ることができる。
【数３】
2013526163.tif 000005
【００４４】
図５（Ａ）から図５（Ｄ）は、本開示の一実施形態における長さ４の差分符号行列を使用することによって多重化および逆多重化を行う方法を示す図である。
【００４５】
図５（Ａ）に示されているように、差分符号行列は、符号語１［１，１，１，１］、符号語２［１，１，１，−１］、符号語３［１，１，−１，−１］、および、符号語４［１，−１，−１，−１］の４つの符号語を含む。各符号語は複数のチップをさらに含み、符号語１はチップ１、１、１、１を含み、符号語２はチップ１、１、１、−１を含み、符号語３はチップ１、１、−１、−１を含み、符号語４はチップ１、−１、−１、−１を含む。本開示の一実施形態によれば、全ての符号語における第１のチップは、チップの第１の集合と称され、全ての符号語における第２のチップは、チップの第２の集合と称され、全ての符号語における第３のチップは、チップの第３の集合と称され、全ての符号語における第４のチップは、チップの第４の集合と称される。図５（Ａ）より、チップの隣接する２つの集合の差において１つの項のみが非ゼロであり、距離が最も遠いチップの２つの集合の和において１つの項のみが非ゼロであることが容易にわかる。
【００４６】
差分符号行列を使用することによって本開示に係る送信装置２００により実行されるＣＤＭ多重化では、異なる元の信号Ｌ１、Ｌ２、Ｌ３、Ｌ４はそれぞれ異なる符号語に対応する。多重化部２０２は、異なる信号に、対応する符号語をそれぞれ乗算する。具体的にはそれぞれの信号に、対応する符号語のそれぞれのチップが乗算される。例えば、多重化部２０２は、第１の信号Ｌ１に符号語１の各チップをそれぞれ乗算して［Ｌ１＊（１），Ｌ１＊（１），Ｌ１＊（１），Ｌ１＊（１）］を取得し、第２の信号Ｌ２に符号語２の各チップをそれぞれ乗算して［Ｌ２＊（１），Ｌ２＊（１），Ｌ２＊（１），Ｌ２＊（−１）］を取得し、第３の信号Ｌ３に符号語３の各チップをそれぞれ乗算して［Ｌ３＊（１），Ｌ３＊（１），Ｌ３＊（−１），Ｌ３＊（−１）］を取得し、第４の信号Ｌ３に符号語４の各チップをそれぞれ乗算して［Ｌ４＊（１），Ｌ４＊（−１），Ｌ４＊（−１），Ｌ４＊（−１）］を取得する。乗算結果から、拡散信号が得られる。次いで、多重化部２０２は、異なる信号によって生成された拡散信号を足し合わせて、多重化信号Ｓ１、Ｓ２、Ｓ３、およびＳ４を形成する。具体的には、多重化部２０２は、それぞれの符号語内の各チップと対応する信号との積を足し合わせて複数の多重化信号を形成する。例えば、多重化部２０２は、各符号語におけるチップの第１の集合に属す各積項を足し合わせて多重化信号Ｓ１＝Ｌ１＊（１）＋Ｌ２＊（１）＋Ｌ３＊（１）＋Ｌ４＊（１）を求め、各符号語におけるチップの第２の集合に属す各積項を足し合わせて多重化信号Ｓ２＝Ｌ１＊（１）＋Ｌ２＊（１）＋Ｌ３＊（１）＋Ｌ４＊（−１）を求め、各符号語におけるチップの第３の集合に属す各積項を足し合わせて多重化信号Ｓ３＝Ｌ１＊（１）＋Ｌ２＊（１）＋Ｌ３＊（−１）＋Ｌ４＊（−１）を求め、各符号語におけるチップの第４の集合に属す各積項を足し合わせて多重化信号Ｓ４＝Ｌ１＊（１）＋Ｌ２＊（−１）＋Ｌ３＊（−１）＋Ｌ４＊（−１）を求める。これにより、図５（Ｂ）に示されているように多重化信号Ｓ１、Ｓ２、Ｓ３、Ｓ４が得られる。
【００４７】
図５（Ｃ）に示されているように、送信部２０６は、ワイヤレスチャネル上で多重化信号Ｓ１、Ｓ２、Ｓ３、およびＳ４を伝送する。ＣＤＭによる信号の拡散は、時間領域または周波数領域のいずれかにおいて実行されうる。
【００４８】
図５（Ｄ）に示されているように、本開示による受信装置３００のＣＤＭ逆多重化では、逆多重化部３０２は、隣接する多重化信号Ｓ１とＳ２との間で減算を実行し、元の信号Ｌ４のみを含むチップ項を求め、計算によって元の信号Ｌ４を求めることができる。同様に、逆多重化部３０２は、隣接する多重化信号Ｓ２とＳ３との間で減算を実行して元の信号Ｌ３のみを含むチップ項を求め、計算によって元の信号Ｌ３を求めることができる。逆多重化部３０２は、隣接する多重化信号Ｓ３とＳ４との間で減算を実行して元の信号Ｌ２のみを含むチップ項を求め、計算によって元の信号Ｌ２を求めることができる。逆多重化部３０２は、距離が最も遠い多重化信号Ｓ１とＳ４とを足し合わせて元の信号Ｌ１のみを含むチップ項を求め、計算によって元の信号Ｌ１を求めることができる。これにより、差分検出を通じて各元の信号Ｌ１、Ｌ２、Ｌ３、Ｌ４を求めることができる。
【００４９】
上記の図４および図５に示されている実施形態に基づき、本開示の実施形態による逆多重化（差分検出）の方法では２つの隣接する拡散信号のみを使用することが容易にわかる。しかし、従来技術の図１に示されている逆多重化の方法（コヒーレント検出）では４つすべての拡散信号が使用される。そのため、本開示の実施形態による図４および図５の方法に対するチャネルの影響は、従来技術と比較して小さい。
【００５０】
差分符号行列を構成する上記の方法は本開示の範囲を制限せず、特定の長さを持つ差分符号行列に対する構成方法があることに留意されたい。例えば、長さ３の差分符号行列については、以下のように構成することもできる。
【数４】
2013526163.tif 000006
、
【数５】
2013526163.tif 000007
、
【数６】
2013526163.tif 000008
、
【数７】
2013526163.tif 000009
、
【数８】
2013526163.tif 000010
【００５１】
式（４）の中の行列の行または列を置換することによって他の差分符号行列を求めることができることは容易にわかる。
【００５２】
それに加えて、差分符号行列は、Ｍ×Ｎの行列のＭがＮに等しくないように構成することができる。例えば、１つの符号語、例えば、符号語１が式（３）中の長さ４の差分符号行列から取り除かれ、以下の行列を求めることができる。
【数９】
2013526163.tif 000011
【００５３】
この時点で、上記の差分符号行列において、３つの信号を多重するために使用できる符号語は３つしかない。逆多重化が実行されると、最も遠い距離の多重化信号は、もはや検出される必要がないが、互いに隣接する多重化信号のみを検出する必要がある。
【００５４】
例えば、差分符号行列は、符号語１［１，１，１，−１］、符号語２［１，１，−１，−１］、および符号語３［１，−１，−１，−１］の３つの符号語を含む。符号語１はチップ１、１、１、−１を含み、符号語２はチップ１、１、−１、−１を含み、符号語３はチップ１、−１、−１、−１を含む。本開示の一実施形態によれば、全ての符号語における第１のチップは、チップの第１の集合と称され、全ての符号語における第２のチップは、チップの第２の集合と称され、全ての符号語における第３のチップは、チップの第３の集合と称され、全ての符号語における第４のチップは、チップの第４の集合と称される。上記の説明から、チップの隣接する２つの集合の差において１つの項のみが非ゼロであり、距離が最も遠いチップの２つの集合の和において全ての項がゼロであることがわかる。
【００５５】
上記の４×３の差分符号行列を使用することによって本開示に係る送信装置２００により実行されるＣＤＭ多重化では、３つの異なる元の信号Ｌ１、Ｌ２、Ｌ３は、多重することができ、それぞれ異なる符号語に対応する。多重化部２０２は、異なる信号に、対応する符号語をそれぞれ乗算する。具体的には、多重化部２０２は、それぞれの信号に、対応する符号語のそれぞれのチップを乗算する。例えば、多重化部２０２は、第１の信号Ｌ１に符号語１の各チップをそれぞれ乗算して［Ｌ１＊（１），Ｌ１＊（１），Ｌ１＊（１），Ｌ１＊（−１）］を取得し、第２の信号Ｌ２に符号語２の各チップをそれぞれ乗算して［Ｌ２＊（１），Ｌ２＊（１），Ｌ２＊（−１），Ｌ２＊（−１）］を取得し、第３の信号Ｌ３に符号語３の各チップをそれぞれ乗算して［Ｌ３＊（１），Ｌ３＊（−１），Ｌ３＊（−１），Ｌ３＊（−１）］を取得する。乗算結果から、拡散信号が得られる。次いで、多重化部２０２は、異なる信号によって生成された拡散信号を足し合わせて、多重化信号Ｓ１、Ｓ２、Ｓ３、およびＳ４を形成する。具体的には、多重化部２０２は、それぞれの符号語内の各チップと対応する信号との積を足し合わせて複数の多重化信号を形成する。例えば、多重化部２０２は、各符号語におけるチップの第１の集合に属す各積項を足し合わせて多重化信号Ｓ１＝Ｌ１＊（１）＋Ｌ２＊（１）＋Ｌ３＊（１）を求め、各符号語におけるチップの第２の集合に属す各積項を足し合わせて多重化信号Ｓ２＝Ｌ１＊（１）＋Ｌ２＊（１）＋Ｌ３＊（−１）を求め、各符号語におけるチップの第３の集合に属す各積項を足し合わせて多重化信号Ｓ３＝Ｌ１＊（１）＋Ｌ２＊（−１）＋Ｌ３＊（−１）を求め、各符号語におけるチップの第４の集合に属す各積項を足し合わせて多重化信号Ｓ４＝Ｌ１＊（−１）＋Ｌ２＊（−１）＋Ｌ３＊（−１）を求める。これにより、多重化信号Ｓ１、Ｓ２、Ｓ３、およびＳ４が得られる。
【００５６】
送信部２０６は、ワイヤレスチャネル上で多重化信号Ｓ１、Ｓ２、Ｓ３、およびＳ４を伝送する。ＣＤＭによる信号の拡散は、時間領域または周波数領域のいずれかにおいて実行されうる。
【００５７】
本開示による受信装置３００のＣＤＭ逆多重化では、逆多重化部３０２は、隣接する多重化信号Ｓ１とＳ２との間で減算を実行し、元の信号Ｌ３のみを含むチップ項を求め、計算によって元の信号Ｌ３を求めることができる。同様に、逆多重化部３０２は、隣接する多重化信号Ｓ２とＳ３との間で減算を実行し、元の信号Ｌ２のみを含むチップ項を求め、計算によって元の信号Ｌ２を求めることができる。逆多重化部３０２は、隣接する多重化信号Ｓ３とＳ４との間で減算を実行して元の信号Ｌ１のみを含むチップ項を求め、計算によって元の信号Ｌ１を求めることができる。これにより、互いに隣接する多重化信号のみにおいて、差分検出を通じて元の信号Ｌ１、Ｌ２、およびＬ３をそれぞれ求めることができ、距離が最も遠い多重化信号はもはや検出されない。
【００５８】
上記の説明から、各符号語内の各チップからなるチップの複数の集合において、チップの何れか１つの集合と、チップの他の集合のうちのチップの少なくとも１つの集合との差または和において１つの項のみがゼロでなく、各チップの絶対値は同じであり、各チップの正負の符号は同じか符号であるか、または反対符号であることもわかる。
【００５９】
本開示による差分符号化に基づく符号分割多重化および逆多重化の方法は、逆多重化が実行されるときのチャネル選択性の影響を小さくすることができる。これによりチャネルの通信品質が改善される。
【００６０】
（実施の形態４）
将来のセルラーシステムでは、セル間干渉の抑制は、スペクトル効率の向上のために非常に重要である。セル間にバックホール接続がある場合、セル間の調整によりセル間干渉を抑制することができる。しかし、セル間にバックホール接続がない場合、端末側の干渉除去は非常に有益である。端末側の干渉除去技術では、干渉チャネルのチャネル推定を得る必要がある。セルラーシステムでは、それぞれのセルは共通パイロットチャネルを有し、端末は隣接セルの共通パイロットチャネルを測定することによって対応するチャネル推定を得ることができる。しかし、いくつかのセルラーシステムでは、例えば、ＬＴＥ−Ａシステムでは、設計手順において、共通パイロットチャネルはプレコーディングされず、プレコーディングは端末の個別チャネルに存在する。個別チャネルの干渉が、共通パイロットチャネルを使用することによって推定される場合、バイアスが引き起こされ、そのため、端末側の干渉除去の品質が影響を受ける。この場合、個別チャネルに特有の復調用参照信号（ＤＭＲＳ）を使用して干渉チャネルを推定する必要がある。したがって、セル間で直交する復調用参照信号を考慮する必要がある。
【００６１】
本開示の実施形態によれば、上述のように各実施形態において差分符号行列によって多重化された複数の信号は、ワイヤレス通信システムの隣接（異なる）セルによって送信されるリソースブロック内の復調用参照信号であるものとしてよい。さらに、本開示の差分符号に基づく多重化の方法を使用することによって復調用参照信号の符号分割多重化を実行する、本開示の実施の形態１に係る送信装置２００は、ワイヤレス通信システムの基地局において構成されることができる。本開示の差分符号に基づく逆多重化の方法を使用することによって復調用参照信号を取得する、本開示の実施の形態２に係る受信装置３００は、ワイヤレス通信システムの携帯端末において構成されることができる。
【００６２】
図６は、ワイヤレス通信システムにおいて異なる基地局が複数のデータストリームを携帯端末に送信することを示す概略図である。
【００６３】
図６に示されているように、隣接する基地局５０１および基地局５０２は、複数のアンテナをそれぞれ備えることができ、複数のデータストリームを携帯端末５０３に空間多重化モードでそれぞれ送信することができる。上述したような基地局の数は、本開示の範囲を制限することはなく、実際のワイヤレス通信システムにおいて複数のデータストリームを同じ端末に送信する隣接する基地局は複数ありうる。
【００６４】
図７は、ワイヤレス通信システムにおいて基地局から携帯端末に送信されるデータストリームを構成するリソースブロックの一例を示す図である。
【００６５】
図７には、データストリームを構成する１つのリソースブロックが示されている。リソースブロックの横軸は時間を表し、縦軸は周波数帯域幅を表す。横軸は１４個のセグメントに分割される。各セグメントは、横軸から始まり縦軸にそって、１つのＯＦＤＭシンボルを形成する。縦軸は１２個のセグメントに分割され、それぞれのセグメントは縦軸から始まり横軸にそって１つのサブキャリアを形成する。リソースブロック内の小さな正方形のそれぞれは、１つのリソース単位を表す。リソースブロック内の１２×１４のリソース単位すべてが、横軸上に１つのサブフレームを構成する。リソースブロック内のリソース単位の最初の３列は、制御データを転送する役割を持つ制御領域をなす。パターンなしによって表される他のリソース単位は、データ信号を転送するために使用される。グリッド線によって表されるリソース単位７０１は、リソースブロックで転送されるデータ信号を携帯端末で復調するために使用される、セルの個別チャネルに特有の復調用参照信号（ＤＭＲＳ）を転送するために使用される。ここで、各リソースブロックは、所定の位置に分散された複数の復調用参照信号を含む。復調用参照信号の数および位置は、本開示の範囲を制限することはなく、適切な数の復調用参照信号がシステムの要件に応じて適切な位置に構成されうる。
【００６６】
加えて、複数のアンテナを備える同一基地局、例えば基地局５０１において、複数のデータストリームを空間多重化モードで携帯端末５０３に送信することができる。複数のデータストリームは、それぞれ異なるレイヤに配置され、データストリームの各レイヤのリソースブロックとして、同じ時間リソースおよび周波数リソースを使用することができる。例えば、基地局５０１の複数のアンテナで、２つのレイヤのデータストリーム、つまり、第１レイヤのデータストリームと第２レイヤのデータストリームとを携帯端末５０３に空間変調を通じて送信することができ、データストリームの各レイヤにおける各リソースブロックは、同じ時間リソースおよび周波数リソース内に配置することができる。
【００６７】
ＬＴＥ−Ａシステムでは、設計の処理手順において、隣接するセルの復調用参照信号について、セル間の直交特性が時分割多重化（ＴＤＭ）または周波数分割多重化（ＦＤＭ）によって実現される可能性は除外されているので、使用できるのは符号分割多重化モードである。
【００６８】
図８（Ａ）から図８（Ｃ）は、本開示の一実施形態による差分符号化モードに基づく隣接セルの復調用参照信号の符号分割多重化および逆多重化を示す図である。
【００６９】
図８（Ａ）には、３つの隣接するセルのリソースブロックおよびその中の復調用参照信号が図示されており、セル１の復調用参照信号はＣ１であり、セル２の復調用参照信号はＣ２であり、セル３の復調用参照信号はＣ３である。本開示の一実施形態によれば、上記の３つの復調用参照信号は、以下のように示されている長さ３の差分符号行列を使用することによって差分多重化（differentially multiplexed）されうる。
【数１０】
2013526163.tif 000012
【００７０】
特に、差分符号行列は、符号語１［１，１，１］、符号語２［１，−１，１］、および符号語３［１，−１，−１］の３つの符号語を含む。各符号語は複数のチップをさらに含み、符号語１はチップ１、１、１を含み、符号語２はチップ１、−１、１を含み、符号語３はチップ１、−１、−１を含む。本開示の一実施形態によれば、全ての符号語における第１のチップは、チップの第１の集合と称され、全ての符号語における第２のチップは、チップの第２の集合と称され、全ての符号語における第３のチップは、チップの第３の集合と称される。式（６）から、チップの２つの集合の差または和において、１つのチップ項がある、つまり、非ゼロである項が１つのみあることは容易にわかる。
【００７１】
上記の差分符号行列を使用することによって本開示に係る送信装置２００により実行されるＣＤＭ多重化では、異なる復調用参照信号Ｃ１、Ｃ２、Ｃ３はそれぞれ異なる符号語に対応する。送信装置２００では、多重化部２０２は、異なる復調用参照信号に、対応する符号語をそれぞれ乗算する。具体的には、各復調用参照信号に、対応する符号語のそれぞれのチップが乗算される。例えば、多重化部２０２は、第１の復調用参照信号Ｃ１に符号語１の各チップをそれぞれ乗算して［Ｃ１，Ｃ１，Ｃ１］を取得し、第２の復調用参照信号Ｃ２に符号語２の各チップをそれぞれ乗算して［Ｃ２，−Ｃ２，Ｃ２］を取得し、第３の復調用参照信号Ｃ３に符号語３の各チップをそれぞれ乗算して［Ｃ３，−Ｃ３，−Ｃ３］を取得する。乗算結果から、拡散信号が得られる。次いで、多重化部２０２は、異なる信号によって生成された拡散信号を足し合わせて、多重化信号Ｓ１、Ｓ２、およびＳ３を形成する。具体的には、多重化部２０２は、それぞれの符号語内の各チップと対応する復調用参照信号との積を足し合わせて複数の多重化信号を形成する。例えば、図８（Ｂ）に示されているように、多重化部２０２は、各符号語におけるチップの第１の集合に属す各積項を足し合わせて多重化信号Ｓ１＝Ｃ１＋Ｃ２＋Ｃ３を求め、各符号語におけるチップの第２の集合に属す各積項を足し合わせて多重化信号Ｓ２＝Ｃ１−Ｃ２−Ｃ３を求め、各符号語におけるチップの第３の集合に属す各積項を足し合わせて多重化信号Ｓ３＝Ｃ１＋Ｃ２−Ｃ３を求める。これにより、多重化信号Ｓ１、Ｓ２、およびＳ３が得られる。
【００７２】
送信部２０６は、ワイヤレスチャネル上で多重化信号Ｓ１、Ｓ２、およびＳ３を伝送する。
【００７３】
図８（Ｃ）に示されているように、本開示の一実施形態による受信装置３００では、受信部３０６は複数の多重化信号Ｓ１、Ｓ２、およびＳ３を受信する。逆多重化部３０２は、隣接する多重化信号Ｓ１とＳ２とを足し合わせて元の復調用参照信号Ｃ１を求め、隣接する多重化信号Ｓ２とＳ３との間で減算を実行して、元の復調用参照信号Ｃ２を求め、距離が最も遠い隣接する多重化信号Ｓ１とＳ３との間で減算を実行して、元の復調用参照信号Ｃ３を求める。これにより、差分検出を通じて各元の復調用参照信号Ｃ１、Ｃ２、およびＣ３を求めることができる。
【００７４】
図８（Ｃ）より、Ｃ１またはＣ２を得る際、６個のサブキャリアまたは長さ６のシンボルのみを検出する必要があることもわかる。このようにして、逆多重化を実行するときの時間領域または周波数領域上のスパン距離が短いので、時間領域または周波数領域におけるチャネルの変化の影響は小さい。
【００７５】
この方法で、長さ３の差分符号行列を使用することによって、３つの隣接するセルの復調用参照信号に対する設計を実現することができる。
【００７６】
差分符号化に基づく符号分割多重化の方法ならびに本開示による対応する逆多重化の方法、送信装置、および受信装置は、逆多重化が実行されるときのチャネル選択性の影響を小さくすることができる。これによりチャネルの通信品質が改善される。
【００７７】
（実施の形態５）
長さが３より大きい差分符号行列が実施の形態４において適用される場合、差分符号行列の長さ（数）に等しい数のセルの復調用参照信号を多重化することができる。この場合、すべてのセルにおいて周波数領域内で隣接するリソースブロックに同じプレコーディングを使用する必要がある。つまり、多重化部２０２は、同じプレコーディングを使用する同じセルにおいて、隣接するリソースブロック内の復調用参照信号を複数の信号のうちの１つの信号としてみなし、その符号分割多重化を、差分符号行列を使用することによって実行する。
【００７８】
図９は、本開示の一実施形態による差分符号化モードに基づく隣接セルの復調用参照信号の符号分割多重化および逆多重化の別の例を示す図である。
【００７９】
図９では、隣接する４つのセルが長さ４の差分符号行列を使用することによって多重化される一例を取りあげている。この例では、それぞれのセル内の周波数領域において隣接する２つのリソースブロックＲＢ１およびＲＢ２は同じプレコーディングを使用する必要がある。図９には、４つの隣接するセルのリソースブロックおよびその中の復調用参照信号が図示されており、セル１の復調用参照信号はＣ１によって表し、セル２の復調用参照信号はＣ２によって表し、セル３の復調用参照信号はＣ３によって表し、セル４の復調用参照信号はＣ４によって表す。
【００８０】
本開示の一実施形態によれば、上記の４つの復調用参照信号は、式（７）に示されているように、式（３）によって示されているような長さ４の差分符号行列を使用することによって差分多重化されうる。
【数１１】
2013526163.tif 000013
【００８１】
具体的には、式（７）に示されているように、差分符号行列は、符号語１［１，１，１，１］、符号語２［１，１，１，−１］、符号語３［１，１，−１，−１］、および符号語４［１，−１，−１，−１］の４つの符号語を含む。各符号語は複数のチップをさらに含み、符号語１はチップ１、１、１、１を含み、符号語２はチップ１、１、１、−１を含み、符号語３はチップ１、１、−１、−１を含み、符号語４はチップ１、−１、−１、−１を含む。本開示の一実施形態によれば、全ての符号語における第１のチップは、チップの第１の集合と称され、全ての符号語における第２のチップは、チップの第２の集合と称され、全ての符号語における第３のチップは、チップの第３の集合と称され、全ての符号語における第４のチップは、チップの第４の集合と称される。チップの隣接する２つの集合の差において１つの項のみが非ゼロであり、距離が最も遠いチップの２つの集合の和において１つの項のみが非ゼロであることが容易にわかる。
【００８２】
上記の差分符号行列を使用することによって本開示に係る送信装置２００により実行されるＣＤＭ多重化では、異なる復調用参照信号Ｃ１、Ｃ２、Ｃ３、Ｃ４はそれぞれ異なる符号語に対応する。多重化部２０２は、異なる復調用参照信号に、対応する符号語をそれぞれ乗算する。具体的には、送信装置２００の多重化部２０２は、復調用参照信号のそれぞれに、対応する符号語の各チップを乗算する。例えば、多重化部２０２は、第１の復調用参照信号Ｃ１に、符号語１の各チップをそれぞれ乗算して［Ｃ１，Ｃ１，Ｃ１，Ｃ１］を取得し、第２の復調用参照信号Ｃ２に、符号語２の各チップをそれぞれ乗算して［Ｃ２，Ｃ２，Ｃ２，−Ｃ２］を取得し、第３の復調用参照信号Ｃ３に、符号語３の各チップをそれぞれ乗算して［Ｃ３，Ｃ３，−Ｃ３，−Ｃ３］を取得し、第４の復調用参照信号Ｃ４に、符号語４の各チップをそれぞれ乗算して［Ｃ４，−Ｃ４，−Ｃ４，−Ｃ４］を取得する。乗算結果から、拡散信号が得られる。次いで、多重化部２０２は、異なる信号によって生成された拡散信号を足し合わせて、多重化信号Ｓ１、Ｓ２、Ｓ３、およびＳ４を形成する。具体的には、多重化部２０２は、各符号語内の各チップと対応する復調用参照信号との積を足し合わせて複数の多重化信号を形成する。例えば、多重化部２０２は、各符号語におけるチップの第１の集合に属す各積項を足し合わせて多重化信号Ｓ１＝Ｃ１＋Ｃ＋Ｃ３＋Ｃ４を求め、各符号語におけるチップの第２の集合に属す各積項を足し合わせて多重化信号Ｓ２＝Ｃ１＋Ｃ２＋Ｃ３−Ｃ４を求め、各符号語におけるチップの第３の集合に属す各積項を足し合わせて多重化信号Ｓ３＝Ｃ１＋Ｃ２−Ｃ３−Ｃ４を求め、各符号語におけるチップの第４の集合に属す各積項を足し合わせて多重化信号Ｓ４＝Ｃ１−Ｃ２−Ｃ３−Ｃ４を求める。これにより、多重化信号Ｓ１、Ｓ２、Ｓ３、およびＳ４が得られる。
【００８３】
送信部２０６は、ワイヤレスチャネル上で多重化信号Ｓ１、Ｓ２、Ｓ３、およびＳ４を伝送する。復調用参照信号の上記の拡散は、時間領域または周波数領域のいずれかにおいて実行されうる。
【００８４】
本開示による受信装置３００では、受信部３０６が上記の複数の多重化信号Ｓ１、Ｓ２、Ｓ３、およびＳ４を受信する。逆多重化部３０２が隣接する多重化信号Ｓ１とＳ２との間の減算を実行し、元の復調用参照信号Ｃ４を求める。隣接する多重化信号Ｓ２とＳ３との間で減算を実行して、元の復調用参照信号Ｃ３を求める。隣接する多重化信号Ｓ３とＳ４との間で減算を実行して、元の復調用参照信号Ｃ２を求める。距離が最も遠い隣接する多重化信号Ｓ１とＳ４とを足し合わせて、元の復調用参照信号Ｃ１を求める。これにより、差分検出を通じて各元の復調用参照信号Ｃ１、Ｃ２、Ｃ３、およびＣ４を求めることができる。
【００８５】
差分符号化に基づく符号分割多重化の方法ならびに本開示による対応する逆多重化の方法、送信装置、および受信装置は、逆多重化が実行されるときのチャネル選択性の影響を小さくすることができる。これによりチャネルの通信品質が改善される。
【００８６】
（実施の形態６）
本実施形態では、実施の形態４の改善を行う。実施の形態４では、特定のセルの多重化信号の差分検出は、周波数領域全体にわたる拡散を必要とする。例えば、図８（Ｃ）に示されているように、復調用参照信号Ｃ３を求めるために、周波数領域全体にわたってサブキャリア１１個分の距離を検出する。しかし、これは、得られた復調用参照信号の品質を改善することに反している。
【００８７】
図１０（Ａ）から図１０（Ｃ）は、本開示の一実施形態による差分符号化モードに基づく隣接セルの復調用参照信号の符号分割多重化および逆多重化のさらなる一例を示す図である。
【００８８】
図１０（Ａ）に示されているように、本実施形態では、各セルの復調用参照信号が時間領域上で２つのＣＤＭ集合に分割され、それらの集合が異なる差分符号行列をそれぞれ使用することによって拡散されるという点で実施の形態４と異なる。この方法では、各セルの復調用参照信号の差分検出のため、６個のサブキャリアのみにまたがる場合が見られる。つまり、各セルの復調用参照信号の差分検出の実行がより均一になる。
【００８９】
具体的には、図１０（Ａ）に示されているように、各セルの復調用参照信号は、時間領域上で、２つの集合、つまり第１の集合と第２の集合とに分割され、第１の集合と第２の集合とに、異なる差分符号行列がそれぞれ乗算される。分割される集合の数は、本開示の範囲を制限することはない。各セルの復調用参照信号は、必要ならば実際に、時間領域上で複数の集合に分割することもでき、符号分割多重化を実行するため複数の集合がそれぞれ複数の異なる差分符号行列と乗算される。
【００９０】
ここで、例えば、以下のように復調用参照信号の第１の集合と第２の集合とに、２つの異なる差分符号行列をそれぞれ乗算する。
【数１２】
2013526163.tif 000014
、
【数１３】
2013526163.tif 000015
【００９１】
第１の差分符号行列に含まれる３つの符号語は、符号語１［１，−１，１］、符号語２［１，−１，−１］、および符号語３［１，１，１］であり、第２の差分符号行列に含まれる３つの符号語は、符号語１［１，１，１］、符号語２［１，−１，１］、および符号語３［１，−１，−１］である。
【００９２】
図１０（Ｂ）に示されているように、上記実施形態と同じ方法により、送信装置２００の多重化部２０２は、多重化信号Ｓ１、Ｓ２、Ｓ３の第１の集合
Ｓ１＝Ｃ１＋Ｃ２＋Ｃ３
Ｓ２＝−Ｃ１−Ｃ２＋Ｃ３
Ｓ３＝Ｃ１−Ｃ２＋Ｃ３、
さらには、多重化信号Ｓ１’、Ｓ２’、Ｓ３’の第２の集合
Ｓ１’＝Ｃ１＋Ｃ２＋Ｃ３
Ｓ２’＝Ｃ１−Ｃ２−Ｃ３
Ｓ３’＝Ｃ１＋Ｃ２−Ｃ３
を形成することができる。
【００９３】
送信部２０６は、ワイヤレスチャネル上で多重化信号Ｓ１、Ｓ２、およびＳ３、さらにはＳ１’、Ｓ２’、およびＳ３’を伝送する。
【００９４】
図１０（Ｃ）に示されているように、本開示による受信装置３００では、受信部３０６は、複数の多重化信号Ｓ１、Ｓ２、Ｓ３およびＳ１’、Ｓ２’、Ｓ３’を受信する。逆多重化部３０２は、隣接する多重化信号Ｓ１とＳ２とを足し合わせて元の復調用参照信号Ｃ３を求め、隣接する多重化信号Ｓ２とＳ３との間で減算を実行して、元の復調用参照信号Ｃ１を求める。また、逆多重化部３０２は、隣接する多重化信号Ｓ１’とＳ２’とを足し合わせて元の復調用参照信号Ｃ１を求め、隣接する多重化信号Ｓ２’とＳ３’との間で減算を実行して、元の復調用参照信号Ｃ２を求める。この方法で、差分検出を通じて元の復調用参照信号Ｃ１、Ｃ２、Ｃ３をそれぞれ求めることができる。さらに、各セルの復調用参照信号について、これは周波数領域のより長い距離の代わりに６個のサブキャリアのみにわたって差分検出を実行する必要がある。これにより、各セルの復調用参照信号の差分検出の実行はさらに均一になる。
【００９５】
この実施形態は、実施の形態５を改善するために適用することができ、その詳細はこれ以降説明しない。
【００９６】
差分符号化に基づく符号分割多重化の方法ならびに本開示による対応する逆多重化の方法、送信装置、および受信装置は、逆多重化が実行されるときのチャネルの選択性の影響を小さくすることができる。これによりチャネルの通信品質が改善される。
【００９７】
（実施の形態７）
ＬＴＥ−Ａシステムでは、データストリームの複数のレイヤ（リソースブロックの複数のレイヤ）が存在する場合、ウォルシュ符号を使用して、時間領域においてリソースブロックの同じレイヤ上で復調用参照信号を多重化することができる。したがって、リソースブロックの異なるレイヤの復調用参照信号は直交する。
【００９８】
図１１（Ａ）および図１１（Ｂ）は、リソースブロックの複数のレイヤのうちのリソースブロックの１つのレイヤ上で、周波数領域で隣接する２つのリソースブロックを示す図である。
【００９９】
図１１（Ａ）に示されているように、ＲＢ１およびＲＢ２は、それぞれデータストリームの同じレイヤにおいて周波数領域で隣接する２つのリソースブロックであり、時間領域で隣接する２つの復調用参照信号は、ウォルシュ符号［１，−１］を使用することによって時間に関して多重化される。そのような場合、時間領域で隣接する２つの復調用参照信号に対するウォルシュ符号［１，−１］の向きは、周波数領域において交互に反対方向となる。送信装置２００において、これは、符号分割多重化が差分符号行列を使用することによって実行される方法に影響を与えず、隣接するセルの復調用参照信号には、それでも、上述のように各実施の形態により差分符号化多重化が実行される。つまり、多重化部２０２は、セルのリソースブロックの同じレイヤ内で隣接する期間内に配置された復調用参照信号の直交符号分割多重化を実行し、多重化された復調用参照信号を、差分符号行列を使用することによって符号分割多重化を実行する複数の復調用参照信号のうちの１つとみなす。
【０１００】
２つのレイヤなどの複数のレイヤを含むデータストリームの場合について、受信された多重化信号は、異なるレイヤの同じ位置に配置され、向きが反対方向であるウォルシュ符号によって拡散された復調用参照信号を重ね合わせることによって構成される。このため、受信装置３００において通常の方法で検出が実行される場合、受信装置３００における同じシンボルの検出では、値が同一である重ね合わされた信号を検出することができず、元の復調用参照信号を差分検出によって再び得ることができない。
【０１０１】
例えば、図１１（Ａ）に示されているＲＢ１は第２のレイヤ上のリソースブロックであり、シンボル８０１の位置で拡散されたウォルシュ符号のチップ［１，−１，１］があり、シンボル８０２の位置で拡散されたウォルシュ符号のチップ［−１，１，−１］がある。さらに、図示されていない第１のレイヤ上のリソースブロックでは、シンボル８０１とシンボル８０２の両方の位置で拡散されたウォルシュ符号のチップ［１，１，１］がある。第１のレイヤ（図示せず）上のリソースブロックの復調用参照信号は、ｗ１で表され、第２のレイヤ上のリソースブロックＲＢ１の復調用参照信号は、ｗ２で表され、リソースブロックＲＢ１上の復調用参照信号に使用される差分符号行列の符号語は［１，１，１］であると想定する。
【０１０２】
このとき、図１１（Ｂ）の（１）に示されているように、受信装置３００の受信部３０６によって受信されるシンボル８０１の位置における多重化信号は（ｗ１＋ｗ２）＊１、（ｗ１−ｗ２）＊１、および（ｗ１＋ｗ２）＊１であり、シンボル８０２の位置における多重化信号は（ｗ１−ｗ２）＊１、（ｗ１＋ｗ２）＊１、および（ｗ１−ｗ２）＊１である。ここで、シンボル８０１の位置における多重化信号は、（ｗ１＋ｗ２）＊１および（ｗ１−ｗ２）＊１を含み、シンボル８０２の位置における多重化信号も（ｗ１−ｗ２）＊１および（ｗ１＋ｗ２）＊１を含むことに留意されたい。正しく復号するためには、同じシンボル位置で重ね合わされた信号は、同じ信号でなければならない。したがって、図１１（Ｂ）の（２）に示されているように、受信装置３００の検出時には、シンボル８０１およびシンボル８０２における異なるサブキャリアに対する位置を交互に検出して、同一の検出信号を取得する必要がある。例えば、１回のすべての検出により、重ね合わされた信号（ｗ１＋ｗ２）＊１または重ね合わされた信号（ｗ１−ｗ２）＊１を取得する。これにより、正しい復号を実行することができる。
【０１０３】
図１１（Ｂ）の（３）に示されているように、リソースブロックのレイヤが１つしかない場合、向きが交互に入れ替わるウォルシュ符号［１，−１］も使用されると、受信装置３００の受信部３０６によって受信されるシンボル８０１の位置における多重化信号はｗ１＊１、（−ｗ１）＊１、およびｗ１＊１であり、シンボル８０２の位置における多重化信号は（−ｗ１）＊１、ｗ１＊１、および（−ｗ１）＊１である。ここで、シンボル８０１の位置における多重化信号は、ｗ１＊１および（−ｗ１）＊１を含み、シンボル８０２の位置における多重化信号もｗ１＊１および（−ｗ１）＊１を含むことに留意されたい。正しく復号するためには、同じシンボル位置で重ね合わされた信号は、同じ信号でなければならない。したがって、図１１（Ｂ）の（４）に示されているように、受信装置３００の検出時には、同一の検出信号を得るために、異なるサブキャリア周波数に対するシンボル８０１およびシンボル８０２において受信された信号の位置で、隣接する時間位置で受信された２つのシンボル８０１および８０２における多重化信号を交互に検出する必要がある。例えば、１回のすべての検出で、重ね合わされた信号ｗ１＊１または重ね合わされた信号（−ｗ１）＊１を取得する。これにより、正しい復号を実行することができる。
【０１０４】
差分符号化に基づく符号分割多重化の方法ならびに本開示による対応する逆多重化の方法、送信装置、および受信装置は、逆多重化が実行されるときのチャネルの選択性の影響を小さくすることができる。これによりチャネルの通信品質が改善される。
【０１０５】
（実施の形態８）
図１２は、本開示の一実施形態による差分符号に基づく符号分割多重化の方法を示すフロー図である。
【０１０６】
本開示による差分符号に基づく符号分割多重化の方法は、複数の元の信号の数と同数の符号語であって、各符号語が複数のチップを含む、複数の符号語を含む差分符号行列を使用することによって複数の元の信号の符号分割多重化を実行する。図１２に示されているように、ステップＳ１２００では、上述した複数の元の信号のそれぞれに、対応する符号語内の各チップがそれぞれ乗算される。ステップＳ１２０２では、各符号語内の各チップと対応する信号との積の和を計算して複数の多重化信号が形成される。各符号語の対応するチップは、チップの複数の集合を構成し、チップの何れか１つの集合と、チップの他の集合のうちのチップの１つの集合との和または差において１つの項のみがゼロでない。
【０１０７】
本開示の一実施形態によれば、上記のステップＳ１２００およびＳ１２０２は、送信装置２００内の多重化部２０２によって実装されうる。
【０１０８】
本開示の一実施形態によれば、上記符号行列Ａは、Ｎ×Ｍの行列Ａとすることができ、複数の信号は、Ｍ個の信号Ｌ１、Ｌ２、…、ＬＭとすることができ、符号行列Ａは、Ｍ個の符号語［ａｉ，１］、［ａｉ，２］、…、［ａｉ，Ｍ］を含み、各符号語の対応するチップは、チップのＮ個の集合［ａ１，ｊ］、［ａ２，ｊ］、…、［ａＮ，ｊ］を構成する。ここで、ｉ＝１〜Ｎ、ｊ＝１〜Ｍ、ＭおよびＮは２以上の正整数、Ｍ≦Ｎである。複数の多重化信号は、Ｎ個の信号Ｓ１、Ｓ２、…、ＳＮであり、ただし、Ｓ１＝Ｌ１×ａ１，１＋Ｌ２×ａ１，２＋…＋ＬＭ×ａ１，Ｍであり、Ｓ２＝Ｌ１×ａ２，１＋Ｌ２×ａ２，２＋…＋ＬＭ×ａ２，Ｍであり、ＳＮ＝Ｌ１×ａＮ，１＋Ｌ２×ａＮ，２＋…＋ＬＭ×ａＮ，Ｍである。
【０１０９】
本開示の一実施形態によれば、チップの隣接する２つの集合の差または和において、１つの項のみが非ゼロである。
【０１１０】
本開示の一実施形態によれば、各チップの絶対値は同じであり、各チップの符号は同じ符号であるか、または反対符号である。
【０１１１】
本開示の一実施形態によれば、上記符号行列は、式（１）として構成することができる。
【０１１２】
本開示の一実施形態によれば、複数の元の信号は、ワイヤレス通信システムの異なるセルによって送信されるリソースブロック内の復調用参照信号とすることができる。
【０１１３】
本開示の一実施形態によれば、上記方法は、同一セルの隣接するリソースブロックに対して同一プレコーディングを使用し、隣接するリソースブロック内の復調用参照信号を複数の元の信号のうちの１つとしてみなすステップをさらに含むことができる。
【０１１４】
本開示の一実施形態によれば、上記方法は、異なるセルの各復調用参照信号を複数の集合に分割し、全てのセルの復調用参照信号の異なる集合に、異なる符号行列をそれぞれ乗算して、多重化信号の複数の集合を形成するステップをさらに含むことができる。
【０１１５】
本開示の一実施形態によれば、上記方法は、１つのセルのリソースブロックの同一レイヤ内で隣接する期間内に配置された復調用参照信号の直交符号分割多重化を実行し、上述したように多重化された復調用参照信号を複数の元の信号のうちの１つとしてみなすステップをさらに含むことができる。
【０１１６】
上記方法の各ステップを実行する順序は、本開示の範囲を制限することはなく、上述した各ステップは、並列実行されるか、または異なる順序で実行されうる。
【０１１７】
上述した各ステップは、送信装置２００の多重化部２０２によって実行することもできる。
【０１１８】
本開示による差分符号に基づく符号分割多重化の方法は、逆多重化が実行されるときのチャネル選択性の影響を小さくすることができる。これによりチャネルの通信品質が改善される。
【０１１９】
（実施の形態９）
図１３は、本開示の一実施形態による差分符号に基づく逆多重化の方法を示すフロー図である。
【０１２０】
図１３に示されているように、ステップＳ１３００では、符号行列を使用することによって複数の信号に符号分割多重化を実行して得られる複数の多重化信号が受信される。ステップＳ１３０２では、上記複数の多重化信号のうちの多重化信号の複数の対の和または差を計算して複数の信号のうちの対応する信号が取得される。
【０１２１】
本開示の一実施形態によれば、上記のステップＳ１３００およびＳ１３０２は、受信装置３００の逆多重化部３０２によって実装されうる。
【０１２２】
本開示の一実施形態による逆多重化の方法の符号行列は、複数の符号語を含み、複数の符号語の個数は複数の信号の個数と同じであり、各符号語は複数のチップを含み、複数の多重化信号は、複数の信号の各信号に、対応する符号語の各チップをそれぞれ乗算し、そ各符号語の各チップと対応する信号との積の和を計算することによって得られる。
【０１２３】
本開示の一実施形態による逆多重化の方法では、符号行列は、Ｎ×Ｍの行列Ａであり、複数の信号は、信号Ｌ１、Ｌ２、…、ＬＭであり、符号行列Ａは、Ｍ個の符号語［ａｉ，１］、［ａｉ，２］、…、［ａｉ，Ｍ］を含み、各符号語の各チップは、チップのＮ個の集合［ａ１，ｊ］、［ａ２，ｊ］、…、［ａＮ，ｊ］を構成する。ここで、ｉ＝１〜Ｎ、ｊ＝１〜Ｍ、ＭおよびＮは２以上の正整数、Ｍ≦Ｎである。複数の多重化信号は、Ｎ個の信号Ｓ１、Ｓ２、…、ＳＮであり、ただし、Ｓ１＝Ｌ１×ａ１，１＋Ｌ２×ａ１，２＋…＋ＬＭ×ａ１，Ｍであり、Ｓ２＝Ｌ１×ａ２，１＋Ｌ２×ａ２，２＋…＋ＬＭ×ａ２，Ｍであり、ＳＮ＝Ｌ１×ａＮ，１＋Ｌ２×ａＮ，２＋…＋ＬＭ×ａＮ，Ｍである。
【０１２４】
本開示の一実施形態による逆多重化の方法では、チップの隣接する２つの集合の差または和において１つの項のみが非ゼロである。
【０１２５】
本開示の一実施形態による逆多重化の方法では、各チップの絶対値は同じであり、各チップの符号は同じ符号であるか、または反対符号である。
【０１２６】
本開示の一実施形態による逆多重化の方法の符号行列は、式（１）として構成することができる。
【０１２７】
本開示の一実施形態による逆多重化の方法では、複数の元の信号は、ワイヤレス通信システムの異なるセルによって送信されるリソースブロック内の復調用参照信号とすることができる。
【０１２８】
本開示の一実施形態による逆多重化の方法では、多重化信号の複数の集合を受信し、多重化信号の各集合内の多重化信号の異なる対の和または差をそれぞれ計算して異なるセルの復調用参照信号をそれぞれ取得するステップをさらに含むものとしてよい。
【０１２９】
本開示の一実施形態による逆多重化の方法では、受信したリソースブロック内の隣接する時間位置における多重化復調用参照信号について、異なる周波数に関して隣接する時間位置で交互に検出し、各多重化復調用参照信号を取得するステップをさらに含んでいてもよい。
【０１３０】
上記の方法の各ステップを実行する順序は、本開示の範囲を制限することはなく、上述した各ステップは、並列実行されるか、または異なる順序で実行されうる。
【０１３１】
上述した各ステップは、受信装置３００の逆多重化部３０２によって実装することもできる。
【０１３２】
本開示による差分符号に基づく逆多重化の方法は、逆多重化が実行されるときのチャネル選択性の影響を小さくすることができる。これによりチャネルの通信品質が改善される。
【０１３３】
本開示の上記の実施形態は、例示的な説明にすぎず、その具体的構造およびオペレーションは、本開示の範囲を制限することはない。当業者であれば、上記の各実施形態における異なる部分およびオペレーションを新しく組み合わせて、本開示の概念に等しく合致する新しい実装を生み出すことができる。
【０１３４】
本開示の実施形態は、ハードウェア、ソフトウェア、およびファームウェアによって、または組み合わせて実装することができ、その実装の方法が、本開示の範囲を制限することはない。
【０１３５】
本開示の実施形態における各機能要素（構成部）間の接続関係は、本開示の範囲を制限せず、１つまたは複数の機能要素（複数可）または構成部（複数可）は、他の機能要素を含むか、または接続されうる。
【０１３６】
本開示のいくつかの実施形態は、上記の添付図面と組み合わせて図示され、説明されているけれども、当業者であれば、本開示の請求項および等価物の範囲内にあるさまざま変更および修正をこれらの実施形態に加えても、本開示の原理および精神から逸脱することはないと理解するであろう。
【図１（Ａ）】
2013526163.tif 000018
【図１（Ｂ）】
2013526163.tif 000019
【図１（Ｃ）】
2013526163.tif 000020
【図１（Ｄ）】
2013526163.tif 000021
【図２】
2013526163.tif 000022
【図３】
2013526163.tif 000023
【図４（Ａ）】
2013526163.tif 000024
【図４（Ｂ）】
2013526163.tif 000025
【図４（Ｃ）】
2013526163.tif 000026
【図４（Ｄ）】
2013526163.tif 000027
【図５（Ａ）】
2013526163.tif 000028
【図５（Ｂ）】
2013526163.tif 000029
【図５（Ｃ）】
2013526163.tif 000030
【図５（Ｄ）】
2013526163.tif 000031
【図６】
2013526163.tif 000032
【図７】
2013526163.tif 000033
【図８（Ａ）】
2013526163.tif 000034
【図８（Ｂ）】
2013526163.tif 000035
【図８（Ｃ）】
2013526163.tif 000036
【図９】
2013526163.tif 000037
【図１０（Ａ）】
2013526163.tif 000038
【図１０（Ｂ）】
2013526163.tif 000039
【図１０（Ｃ）】
2013526163.tif 000040
【図１１（Ａ）】
2013526163.tif 000041
【図１１（Ｂ）】
2013526163.tif 000042
【図１２】
2013526163.tif 000043
【図１３】
2013526163.tif 000044
【国際調査報告】
2013526163.tif 000045
2013526163.tif 000046